(57)【要約】【課題】適応変調方式が導入されている無線通信システムにおいて、可能な限り伝送レートが低下することを回避しつつ、無線通信路の通信品質を維持することができる無線基地局、無線通信端末及び通信方法を提供する。【解決手段】ＣＳ１００は、無線通信路の受信通信品質を取得し、取得した受信通信品質の劣化状態に基づいて、変調パラメータを伝送レートが低い低レート変調パラメータに変更するか、または通信チャネルを異なる通信チャネルに変更するかを決定する。【選択図】図５
2007274549.tif 000002
【特許請求の範囲】
【請求項１】
少なくも使用する周波数またはタイムスロットによって規定される通信チャネルを用いて無線通信端末との間に設定された無線通信路の変調パラメータを変更することができる無線基地局であって、
前記無線通信路の受信通信品質を取得する通信品質取得部と、
前記通信品質取得部によって取得された前記受信通信品質の劣化状態に基づいて、前記変調パラメータを伝送レートが低い低レート変調パラメータに変更するか、または前記通信チャネルを異なる通信チャネルに変更するかを決定する通信制御部と、
前記通信制御部による前記低レート変調パラメータへの変更、または前記異なる通信チャネルへの変更の決定に基づいて、前記変調パラメータまたは前記通信チャネルを変更する通信処理部と
を備える無線基地局。
【請求項２】
前記通信品質取得部は、前記通信チャネルにおける所望波の受信レベル、及び前記所望波と不要波の受信レベルの比を取得し、
前記通信制御部は、前記所望波の受信レベル、及び前記所望波と不要波の受信レベルの比に基づいて、前記異なる通信チャネルへの変更を決定する請求項１に記載の無線基地局。
【請求項３】
前記通信品質取得部は、前記通信チャネルにおける所望波のフェージング速度を取得し、
前記通信制御部は、前記所望波のフェージング速度が所定の閾値を超える場合、前記異なる通信チャネルへの変更を決定する請求項１に記載の無線基地局。
【請求項４】
前記通信品質取得部は、空き通信チャネルにおける受信通信品質を取得し、
前記通信制御部は、前記空き通信チャネルの受信通信品質が所定の閾値を超える場合、前記空き通信チャネルへの変更を決定する請求項１に記載の無線基地局。
【請求項５】
少なくも使用する周波数またはタイムスロットによって規定される通信チャネルを用いて無線基地局との間に設定された無線通信路の変調パラメータを変更することができる無線通信端末であって、
前記無線通信路の受信通信品質を取得する通信品質取得部と、
前記通信品質取得部によって取得された前記受信通信品質の劣化状態に基づいて、前記変調パラメータを伝送レートが低い低レート変調パラメータに変更するか、または前記通信チャネルを異なる通信チャネルに変更するかを決定する通信制御部と、
前記通信制御部による前記低レート変調パラメータへの変更、または前記異なる通信チャネルへの変更の決定に基づいて、前記変調パラメータまたは前記通信チャネルを変更する通信処理部と
を備える無線通信端末。
【請求項６】
前記通信品質取得部は、前記通信チャネルにおける所望波の受信レベル、及び前記所望波と不要波の受信レベルの比を取得し、
前記通信制御部は、前記所望波の受信レベル、及び前記所望波と不要波の受信レベルの比に基づいて、前記異なる通信チャネルへの変更を決定する請求項５に記載の無線通信端末。
【請求項７】
前記通信品質取得部は、前記通信チャネルにおける所望波のフェージング速度を取得し、
前記通信制御部は、前記所望波のフェージング速度が所定の閾値を超える場合、前記異なる通信チャネルへの変更を決定する請求項５に記載の無線通信端末。
【請求項８】
前記通信品質取得部は、空き通信チャネルにおける受信通信品質を取得し、
前記通信制御部は、前記空き通信チャネルの受信通信品質が所定の閾値を超える場合、前記空き通信チャネルへの変更を決定する請求項５に記載の無線通信端末。
【請求項９】
少なくも使用する周波数またはタイムスロットによって規定される通信チャネルを用いて無線通信端末と無線基地局との間に設定された無線通信路の変調パラメータを変更することができる通信方法であって、
前記無線通信路の受信通信品質を取得するステップと、
前記取得するステップにおいて取得された前記受信通信品質の劣化状態に基づいて、前記変調パラメータを伝送レートが低い低レート変調パラメータに変更するか、または前記通信チャネルを異なる通信チャネルに変更するかを決定するステップと、
前記決定するステップにおける前記低レート変調パラメータへの変更、または前記異なる通信チャネルへの変更の決定に基づいて、前記変調パラメータまたは前記通信チャネルを変更するステップと
を備える通信方法。
【発明の詳細な説明】
【技術分野】
【０００１】
本発明は、少なくも使用する周波数またはタイムスロットによって規定される通信チャネルを用いて設定された無線通信路の変調パラメータを変更することができる無線基地局、無線通信端末及び通信方法に関する。
【背景技術】
【０００２】
従来、ＰＨＳ（personal handyphone system）などの無線通信システムでは、無線通信端末（以下、“ＰＳ”と適宜省略する）と、無線基地局（以下、“ＣＳ”と適宜省略する）との間に設定された無線通信路の変調パラメータが、通信品質に応じて適応的に変更される、いわゆる適応変調方式が導入されている（例えば、特許文献１）。
【０００３】
このような適応変調方式が導入されている無線通信システムでは、無線通信路の通信品質の劣化状況に応じて、伝送レートは低いものの通信品質の劣化に強い変調パラメータに順次変更される。例えば、通信品質が劣化すると、１６ＱＡＭからπ／４シフトＱＰＳＫに変調パラメータが変更される。
【特許文献１】特開２００５−５１６８４号公報（第８頁、第４図）
【発明の開示】
【発明が解決しようとする課題】
【０００４】
しかしながら、上述した従来の適応変調方式には、次のような問題があった。すなわち、無線通信路の通信品質が劣化すると、伝送レートが低い変調パラメータに一律に変更される。このため、例えば、空き通信チャネル（ＴＣＨ）が存在し、無線通信路を当該空き通信チャネルに切り替えることによって、伝送レートを低下させることなく、通信が維持できる可能性がある場合でも、伝送レートが低下してしまうといった問題があった。
【０００５】
そこで、本発明は、このような状況に鑑みてなされたものであり、適応変調方式が導入されている無線通信システムにおいて、可能な限り伝送レートが低下することを回避しつつ、無線通信路の通信品質を維持することができる無線基地局、無線通信端末及び通信方法を提供することを目的とする。
【課題を解決するための手段】
【０００６】
上述した問題を解決するため、本発明は、次のような特徴を有している。まず、本発明の第１の特徴は、少なくも使用する周波数またはタイムスロットによって規定される通信チャネル（例えば、ＴＣＨ＃１）を用いて無線通信端末（ＰＳ２００）との間に設定された無線通信路（無線通信路ＷＬ）の変調パラメータ（例えば、１６ＱＡＭ）を変更することができる無線基地局（ＣＳ１００）であって、前記無線通信路の受信通信品質を取得する通信品質取得部（無線信号処理部１０３）と、前記通信品質取得部によって取得された前記受信通信品質の劣化状態に基づいて、前記変調パラメータを伝送レートが低い低レート変調パラメータ（例えば、８ＰＳＫ）に変更するか、または前記通信チャネルを異なる通信チャネル（例えば、ＴＣＨ＃４）に変更するかを決定する通信制御部（無線制御部１０５）と、前記通信制御部による前記低レート変調パラメータへの変更、または前記異なる通信チャネルへの変更の決定に基づいて、前記変調パラメータまたは前記通信チャネルを変更する通信処理部（無線制御部１０５）とを備えることを要旨とする。
【０００７】
このような無線基地局によれば、通信品質取得部によって取得された受信通信品質の劣化状態に基づいて、変調パラメータを伝送レートが低い低レート変調パラメータに変更するか、または通信チャネルを異なる通信チャネルに変更するかが決定される。
【０００８】
このため、受信通信品質が劣化した場合でも、空き通信チャネルが存在し、無線通信路を当該空き通信チャネルに切り替えることによって、伝送レートを低下させることなく通信が維持できる場合には、使用中の通信チャネルを空き通信チャネルに変更することができる。
【０００９】
つまり、異なる通信チャネルに切り替えることによって、伝送レートを低下させることなく通信が維持できる場合には、伝送レートが低い低レート変調パラメータに変更することによって無線通信路の伝送レートが低下してしまうことを回避できる。
【００１０】
本発明の第２の特徴は、本発明の第１の特徴に係り、前記通信品質取得部は、前記通信チャネルにおける所望波の受信レベル、及び前記所望波と不要波の受信レベルの比（Ｄ／Ｕ比）を取得し、前記通信制御部は、前記所望波の受信レベル、及び前記所望波と不要波の受信レベルの比に基づいて、前記異なる通信チャネルへの変更を決定することを要旨とする。
【００１１】
本発明の第３の特徴は、本発明の第１の特徴に係り、前記通信品質取得部は、前記通信チャネルにおける所望波のフェージング速度を取得し、前記通信制御部は、前記所望波のフェージング速度が所定の閾値を超える場合、前記異なる通信チャネルへの変更を決定することを要旨とする。
【００１２】
本発明の第４の特徴は、本発明の第１の特徴に係り、前記通信品質取得部は、空き通信チャネル（例えば、ＴＣＨ＃４）における受信通信品質（例えば、空き通信チャネル該当周波数の受信電力レベル）を取得し、前記通信制御部は、前記空き通信チャネルの受信通信品質が所定の閾値を超える場合、前記空き通信チャネルへの変更を決定することを要旨とする。
【００１３】
本発明の第５の特徴は、少なくも使用する周波数またはタイムスロットによって規定される通信チャネル（例えば、ＴＣＨ＃１）を用いて無線基地局（ＣＳ１００）との間に設定された無線通信路（無線通信路ＷＬ）の変調パラメータ（例えば、１６ＱＡＭ）を変更することができる無線通信端末（ＰＳ２００）であって、前記無線通信路の受信通信品質を取得する通信品質取得部（無線信号処理部２０３）と、前記通信品質取得部によって取得された前記受信通信品質の劣化状態に基づいて、前記変調パラメータを伝送レートが低い低レート変調パラメータ（例えば、８ＰＳＫ）に変更するか、または前記通信チャネルを異なる通信チャネルに変更するかを決定する通信制御部（制御部２０５）と、前記通信制御部による前記低レート変調パラメータへの変更、または前記異なる通信チャネルへの変更の決定に基づいて、前記変調パラメータまたは前記通信チャネルを変更する通信処理部（制御部２０５）とを備えることを要旨とする。
【００１４】
本発明の第６の特徴は、本発明の第５の特徴に係り、前記通信品質取得部は、前記通信チャネルにおける所望波の受信レベル、及び前記所望波と不要波の受信レベルの比（Ｄ／Ｕ比）を取得し、前記通信制御部は、前記所望波の受信レベル、及び前記所望波と不要波の受信レベルの比に基づいて、前記異なる通信チャネルへの変更を決定することを要旨とする。
【００１５】
本発明の第７の特徴は、本発明の第５の特徴に係り、前記通信品質取得部は、前記通信チャネルにおける所望波のフェージング速度を取得し、前記通信制御部は、前記所望波のフェージング速度が所定の閾値を超える場合、前記異なる通信チャネルへの変更を決定することを要旨とする。
【００１６】
本発明の第８の特徴は、本発明の第５の特徴に係り、前記通信品質取得部は、空き通信チャネル（例えば、ＴＣＨ＃１）における受信通信品質（例えば、空き通信チャネル該当周波数の受信電力レベル）を取得し、前記通信制御部は、前記空き通信チャネルの受信通信品質が所定の閾値を超える場合、前記空き通信チャネルへの変更を決定することを要旨とする。
【００１７】
本発明の第９の特徴は、少なくも使用する周波数またはタイムスロットによって規定される通信チャネルを用いて無線通信端末と無線基地局との間に設定された無線通信路の変調パラメータを変更することができる通信方法であって、前記無線通信路の受信通信品質を取得するステップと、前記取得するステップにおいて取得された前記受信通信品質の劣化状態に基づいて、前記変調パラメータを伝送レートが低い低レート変調パラメータに変更するか、または前記通信チャネルを異なる通信チャネルに変更するかを決定するステップと、前記決定するステップにおける前記低レート変調パラメータへの変更、または前記異なる通信チャネルへの変更の決定に基づいて、前記変調パラメータまたは前記通信チャネルを変更するステップとを備えることを要旨とする。
【発明の効果】
【００１８】
本発明の特徴によれば、適応変調方式が導入されている無線通信システムにおいて、可能な限り伝送レートが低下することを回避しつつ、無線通信路の通信品質を維持することができる無線基地局、無線通信端末及び通信方法を提供することができる。
【発明を実施するための最良の形態】
【００１９】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２０】
したがって、具体的な寸法などは以下の説明を参酌して判断すべきものである。また、図面相互間においても互いの寸法の関係や比率が異なる部分が含まれていることは勿論である。
【００２１】
（無線通信システムの全体概略構成）
図１は、本実施形態に係る無線通信システム１０の全体概略構成図である。図１に示すように、無線通信システム１０は、無線基地局１００（以下、ＣＳ１００と、無線通信端末２００（以下、ＰＳ２００）とを含む。なお、無線通信システム１０に含まれるＣＳ及びＰＳの数は、図１に示した数に限定されるものではない。
【００２２】
無線通信システム１０は、ＴＤＭＡ／ＴＤＤ方式を用いるＰＨＳ（personal handyphone system）に準拠した無線通信システムであり、本実施形態では、１．９ＧＨｚ帯の周波数を用いて無線通信を実行する。
【００２３】
また、無線通信システム１０では、通信チャネル（以下、適宜ＴＣＨと省略する）を用いてＣＳ１００〜ＰＳ２００の間に設定された無線通信路ＷＬの変調パラメータを変更することができる、いわゆる適応変調方式が導入されている。例えば、無線通信路ＷＬの通信品質が劣化すると、変調パラメータが１６ＱＡＭから８ＰＳＫに変更される。
【００２４】
（機能ブロック構成）
次に、無線通信システム１０の機能ブロック構成について説明する。図２は、ＣＳ１００の機能ブロック構成図である。また、図３は、ＰＳ２００の機能ブロック構成図である。なお、以下、本発明との関連がある部分について主に説明する。したがって、ＣＳ１００及びＰＳ２００は、同装置の機能を実現する上で必須な、図示しない或いは説明を省略したブロック（例えば、ＰＳ２００における表示部など）を備える場合があることに留意されたい。
【００２５】
（１）無線基地局
図２に示すように、ＣＳ１００は、無線部１０１、無線信号処理部１０３、無線制御部１０５、中央制御部１０７、回線制御部１０９及び電源部１１１を備えている。
【００２６】
無線部１０１は、アンテナ１０１ａを有し、１．９ＧＨｚ帯の無線周波数を用いる送信機と受信機とによって構成されている。
【００２７】
無線信号処理部１０３は、無線部１０１及び中央制御部１０７と接続される。また、無線信号処理部１０３は、無線制御部１０５とも接続される。
【００２８】
無線信号処理部１０３は、ＤＳＰ（digital signal processor）を有し、無線制御部１０５による制御に基づいて、中央制御部１０７によって出力された信号のデジタル変調処理、及び無線部１０１によって出力された信号のデジタル復調処理を実行する。また、無線信号処理部１０３は、当該信号の多重化（及び分離）処理を実行する。
【００２９】
また、本実施形態では、無線信号処理部１０３は、無線通信路ＷＬの受信通信品質を取得する。本実施形態において、無線信号処理部１０３は、通信品質取得部を構成する。
【００３０】
具体的には、無線信号処理部１０３は、ＴＣＨにおける所望波（Ｄ波）の受信レベル、及び所望波と不要波（Ｕ波）の受信レベルの比（Ｄ／Ｕ比）を取得することができる。さらに、無線信号処理部１０３は、ＴＣＨにおける所望波（Ｄ波）のフェージング速度を取得することができる。
【００３１】
また、無線信号処理部１０３は、空き通信チャネル（空きＴＣＨ）における受信通信品質（例えば、空き通信チャネル該当周波数の受信電力レベル）を取得することもできる。
【００３２】
ここで、図７は、ＴＣＨ構成の一例を示す。図７に示すように、ＴＣＨ＃１〜ＴＣＨ＃４の４つの通信チャネルによって構成される。本実施形態では、通信チャネルは、周波数とタイムスロットとによって規定される。なお、通信チャネルは、周波数またはタイムスロットの何れかによって規定されてもよい。
【００３３】
無線制御部１０５は、中央制御部１０７による指示などに応じて、無線信号処理部１０３を制御する。また、無線制御部１０５は、無線部１０１及び無線信号処理部１０３において用いられる無線通信に関するプロトコルにしたがった処理を実行する。
【００３４】
また、本実施形態では、無線制御部１０５は、無線信号処理部１０３によって取得された受信通信品質の劣化状態に基づいて、変調パラメータを伝送レートが低い低レート変調パラメータに変更するか、または通信チャネルを異なる通信チャネルに変更するかを決定することができる。本実施形態において、無線制御部１０５は、通信制御部を構成する。
【００３５】
無線制御部１０５は、無線信号処理部１０３によって取得されたＤ波の受信レベル、及びＤ／Ｕ比に基づいて、異なる通信チャネルへの変更を決定する。例えば、無線制御部１０５は、Ｄ波の受信レベルが所定の閾値よりも高く、Ｄ／Ｕ比が所定の閾値よりも低い場合、干渉により受信通信品質が劣化していると判定する。
【００３６】
無線制御部１０５は、干渉により受信通信品質が劣化していると判定した場合、干渉を回避するため、異なる通信チャネルへの変更を決定する。例えば、無線制御部１０５は、ＴＣＨ＃１（図７参照）を用いて無線通信路ＷＬが設定されていた場合、通信に使用されていない空き通信チャネルであるＴＣＨ＃４に切り替える。
【００３７】
また、無線制御部１０５は、Ｄ波のフェージング速度が所定の閾値を超える場合、異なる通信チャネルへの変更を決定することもできる。
【００３８】
さらに、無線制御部１０５は、空き通信チャネル（例えば、ＴＣＨ＃４）の受信通信品質が所定の閾値を超える場合、当該空き通信チャネルへの変更を決定する。つまり、空き通信チャネルの受信通信品質が良好な場合、無線制御部１０５は、当該空き通信チャネルへの変更を決定する。
【００３９】
無線制御部１０５は、受信通信品質が所定の閾値よりも劣化した場合において、上述したＴＣＨの変更条件を満足しない場合、変調パラメータを伝送レートが低い低レート変調パラメータに変更する。例えば、無線制御部１０５は、１６ＱＡＭから８ＰＳＫに変更する。
【００４０】
ここで、図８は、本実施形態において用いられる変調パラメータの一例を示す。図８に示すように、１６ＱＡＭ、８ＰＳＫ、π／４シフトＱＰＳＫ及びＢＰＳＫなどが用いられる。なお、図８に示した変調パラメータでは、伝送レートは１６ＱＡＭが最も高く、ＢＰＳＫが最も低い。
【００４１】
無線制御部１０５は、異なる通信チャネルへの変更の決定に基づいて、通信チャネルを変更する。また、無線制御部１０５は、低レート変調パラメータへの変更の決定に基づいて、変調パラメータを変更する。本実施形態において、無線制御部１０５は、通信処理部を構成する。
【００４２】
また、無線制御部１０５は、ＰＳ２００から受信した変調パラメータの切替要求（ＭＯＤ切替要求）に基づいて、変調パラメータを変更することができる。さらに、無線制御部１０５は、変調パラメータの切替指示（ＭＯＤ切替指示）をＰＳ２００に送信することもできる。
【００４３】
中央制御部１０７は、ＣＳ１００を構成する各機能ブロックを制御する。また、中央制御部１０７は、無線信号処理部１０３と回線制御部１０９との間において設定される通話路の設定や解放（交換制御）を実行する。
【００４４】
回線制御部１０９は、ＩＳＤＮ回線（具体的には、Ｉ’回線）を接続し、ＩＳＤＮに関するプロトコルにしたがった処理を実行する。
【００４５】
電源部１１１は、ＣＳ１００を構成する各機能ブロックに対して必要な電力を供給する。
【００４６】
（２）無線通信端末
図３に示すように、ＰＳ２００は、無線部２０１、無線信号処理部２０３、制御部２０５、音声信号処理部２０７、マイク２０９、スピーカ２１１及び電源部２１３を備えている。ＰＳ２００は、上述したＣＳ１００と同様に、受信通信品質に基づいて変調パラメータや通信チャネルを変更することができる。なお、以下、上述したＣＳ１００と同様の部分については、説明を適宜省略する。
【００４７】
無線部２０１は、アンテナ２０１ａを有し、１．９ＧＨｚ帯の無線周波数を用いる送信機と受信機とによって構成されている。
【００４８】
無線信号処理部２０３は、無線部２０１及び音声信号処理部２０７と接続される。また、無線信号処理部２０３は、制御部２０５とも接続される。
【００４９】
無線信号処理部２０３は、ＤＳＰ（digital signal processor）を有し、制御部２０５による制御に基づいて、音声信号処理部２０７によって出力された信号のデジタル変調処理、及び無線部２０１によって出力された信号のデジタル復調処理などを実行する。
【００５０】
また、無線信号処理部２０３は、無線通信路ＷＬの受信通信品質を取得する。本実施形態において、無線信号処理部２０３は、通信品質取得部を構成する。
【００５１】
無線信号処理部２０３は、無線信号処理部１０３と同様に、ＴＣＨにおける所望波（Ｄ波）の受信レベル、及び所望波と不要波（Ｕ波）の受信レベルの比（Ｄ／Ｕ比）を取得することができる。さらに、無線信号処理部２０３は、ＴＣＨにおける所望波（Ｄ波）のフェージング速度を取得することができる。
【００５２】
また、無線信号処理部２０３は、空き通信チャネル（空きＴＣＨ）における受信通信品質を取得することもできる。
【００５３】
制御部２０５は、無線信号処理部２０３及び音声信号処理部２０７を制御する。特に、本実施形態では、制御部２０５は、無線信号処理部２０３によって取得された受信通信品質の劣化状態に基づいて、変調パラメータを伝送レートが低い低レート変調パラメータに変更するか、または通信チャネルを異なる通信チャネルに変更するかを決定することができる。本実施形態において、制御部２０５は、通信制御部を構成する。
【００５４】
制御部２０５は、無線信号処理部１０３によって取得されたＤ波の受信レベル、及びＤ／Ｕ比に基づいて、異なる通信チャネルへの変更を決定する。
【００５５】
また、制御部２０５は、Ｄ波のフェージング速度が所定の閾値を超える場合、異なる通信チャネルへの変更を決定することもできる。
【００５６】
さらに、制御部２０５は、空き通信チャネル（例えば、ＴＣＨ＃４）の受信通信品質が所定の閾値を超える場合、当該空き通信チャネルへの変更を決定する。つまり、空き通信チャネルの受信通信品質が良好な場合、制御部２０５は、当該空き通信チャネルへの変更を決定する。
【００５７】
制御部２０５は、受信通信品質が所定の閾値よりも劣化した場合において、上述したＴＣＨの変更条件を満足しない場合、変調パラメータを伝送レートが低い低レート変調パラメータに変更する。
【００５８】
制御部２０５は、異なる通信チャネルへの変更の決定に基づいて、通信チャネルを変更する。また、制御部２０５は、低レート変調パラメータへの変更の決定に基づいて、変調パラメータを変更する。本実施形態において、制御部２０５は、通信処理部を構成する。
【００５９】
また、制御部２０５は、ＣＳ１００から受信したＭＯＤ切替指示に基づいて、変調パラメータを変更することができる。さらに、制御部２０５は、ＭＯＤ切替要求をＣＳ１００に送信することもできる。
【００６０】
音声信号処理部２０７は、マイク２０９によって取得された音声信号、及びスピーカ２１１に出力される音声信号のデジタル変換処理などを実行する。
【００６１】
電源部２１３は、ＰＳ２００を構成する各機能ブロックに対して必要な電力を供給する。本実施形態では、電源部２１３は、小型のバッテリによって構成される。
【００６２】
（無線通信システムの動作）
次に、無線通信システム１０の動作について説明する。具体的には、（１）ＣＳ１００における変調パラメータまたは通信チャネルの変更フロー、（２）上り方向の受信通信品質の劣化に基づく変調パラメータまたは通信チャネルの変更シーケンス、（３）下り方向の受信通信品質の劣化に基づく変調パラメータまたは通信チャネルの変更シーケンス、について説明する。
【００６３】
（１）変調パラメータまたは通信チャネルの変更フロー
図４は、ＣＳ１００における変調パラメータまたは通信チャネルの変更フローを示す。
【００６４】
ステップＳ１０において、ＣＳ１００は、変調パラメータを変更可能な無線通信路ＷＬにより、ＰＳ２００との通信を実行する。ここでは、ＴＣＨ＃１（図７参照）を用いて無線通信路ＷＬが設定されたものとする。
【００６５】
ステップＳ２０において、ＣＳ１００は、ＰＳ２００から変調パラメータの切り替えを要求するＭＯＤ切替要求を受信したか否かを判定する。
【００６６】
ＭＯＤ切替要求を受信しない場合（ステップＳ２０のＮＯ）、ステップＳ３０において、ＣＳ１００は、受信通信品質を取得する。具体的には、ＣＳ１００は、Ｄ波の受信レベル、Ｄ／Ｕ比、及びＤ波のフェージング速度を、受信通信品質として取得することができる。一方、ＭＯＤ切替要求を受信した場合（ステップＳ２０のＹＥＳ）、ＣＳ１００は、ステップＳ５０の処理を実行する。
【００６７】
ステップＳ４０において、ＣＳ１００は、取得した受信品質に基づいて、変調パラメータを変更するか否かを判定する。
【００６８】
変調パラメータを変更する場合（ステップＳ４０のＹＥＳ）、ステップＳ５０において、ＣＳ１００は、変調パラメータをアップグレード、つまり、伝送レートの高い変調パラメータに変更するか否かを判定する。具体的には、ＣＳ１００は、ステップＳ３０において取得した受信通信品質が良好な場合、伝送レートの高い変調パラメータに変更すると判定する。一方、変調パラメータを変更しない場合（ステップＳ４０のＮＯ）、ＣＳ１００は、ステップＳ１０からの処理を繰り返す。
【００６９】
変調パラメータをアップグレードしない場合（ステップＳ５０のＮＯ）、ステップＳ６０において、ＣＳ１００は、空き通信チャネル（例えば、ＴＣＨ＃４）の空き通信チャネル該当周波数の受信電力レベルを測定する。
【００７０】
ステップＳ７０において、ＣＳ１００は、変調パラメータの変更、または空き通信チャネルへの切り替えを実行する。具体的には、ＣＳ１００は、上述したように、ＴＣＨの変更条件を満足する場合、ＴＣＨを切り替える。一方、ＣＳ１００は、ＴＣＨの変更条件を満足しない場合、変調パラメータを伝送レートが低い変調パラメータに変更する。例えば、ＣＳ１００は、１６ＱＡＭから８ＰＳＫに変更する。
【００７１】
ＴＣＨの切替を実行する場合（ステップＳ７０の“ＴＣＨ”）、ステップＳ８０において、ＣＳ１００は、ＴＣＨの切替シーケンスを実行する。
【００７２】
一方、変調パラメータをアップグレードする場合（ステップＳ５０のＹＥＳ）、または伝送レートが低い変調パラメータに変更する場合（ステップＳ７０の“ＭＯＤ切替”）、ステップＳ９０において、ＣＳ１００は、変調パラメータを変更するＭＯＤ切替シーケンスを実行する。
【００７３】
（２）変調パラメータまたは通信チャネルの変更シーケンス（上り方向）
図５は、上り方向の受信通信品質の劣化に基づく変調パラメータまたは通信チャネルの変更シーケンスを示す。図５に示すように、ステップＳ１１０において、ＣＳ１００及びＰＳ２００は、無線通信路ＷＬにより通信を実行する。ここでは、ＴＣＨ＃１（図７参照）を用いて無線通信路ＷＬが設定されたものとする。また、無線通信路ＷＬでは、１６ＱＡＭが設定されたものとする。
【００７４】
ステップＳ１２０において、ＣＳ１００は、上り方向の受信通信品質を取得する。ステップＳ１３０において、ＣＳ１００は、取得した受信通信品質に基づいて、現状の変調パラメータ（１６ＱＡＭ）を維持できるか否かを判定する。ここでは、ＣＳ１００は、現状の変調パラメータを維持できず、変調パラメータのダウングレード、具体的には、１６ＱＡＭから８ＱＰＳＫへの変更が必要と判定する。
【００７５】
ステップＳ１４０において、ＣＳ１００は、空き通信チャネル（ＴＣＨ＃４）の空き通信チャネル該当周波数の受信電力レベルを測定する。
【００７６】
ステップＳ１５０において、ＣＳ１００は、変調パラメータの変更、または空き通信チャネルへの切り替えを選択する。具体的には、ＣＳ１００は、空き通信チャネルの受信通信品質（例えば、受信レベル）に基づいて、変調パラメータの変更、または空き通信チャネルへの切り替えを選択する。ここでは、空き通信チャネルの空き通信チャネル該当周波数の受信電力レベルが低く、変調パラメータの変更が選択されたものとする。
【００７７】
ステップＳ１６０において、ＣＳ１００は、変調パラメータの変更を指示するＭＯＤ切替指示をＰＳ２００に送信する。
【００７８】
ステップＳ１７０において、ＣＳ１００及びＰＳ２００は、変調パラメータを変更するＭＯＤ切替シーケンスを実行する。
【００７９】
（３）変調パラメータまたは通信チャネルの変更シーケンス（下り方向）
図６は、下り方向の受信通信品質の劣化に基づく変調パラメータまたは通信チャネルの変更シーケンスを示す。なお、以下、上述した上り方向の変更シーケンスと同様の部分については、説明を適宜省略する。
【００８０】
図６に示すように、ステップＳ２１０において、ＣＳ１００及びＰＳ２００は、無線通信路ＷＬにより通信を実行する。
【００８１】
ステップＳ２２０において、ＰＳ２００は、下り方向の受信通信品質を取得する。ステップＳ２３０において、ＰＳ２００は、取得した受信通信品質に基づいて、現状の変調パラメータ（１６ＱＡＭ）を維持できるか否かを判定する。ここでは、ＰＳ２００は、現状の変調パラメータを維持できず、変調パラメータのダウングレード、具体的には、１６ＱＡＭから８ＱＰＳＫへの変更が必要と判定する。
【００８２】
ステップＳ２４０において、ＰＳ２００は、変調パラメータの切替を要求するＭＯＤ切替要求をＣＳ１００に送信する。
【００８３】
ステップＳ２５０において、ＣＳ１００は、受信したＭＯＤ切替要求に基づいて、空き通信チャネル（ＴＣＨ＃４）の空き通信チャネル該当周波数の受信電力レベルを測定する。なお、ステップＳ２６０〜Ｓ２８０の処理は、上述したステップＳ１５０〜Ｓ１７０の処理と同様である。
【００８４】
（作用・効果）
ＣＳ１００によれば、無線信号処理部１０３によって取得された上り方向の受信通信品質の劣化状態に基づいて、変調パラメータを伝送レートが低い低レート変調パラメータに変更するか、または通信チャネル（ＴＣＨ＃１）を異なる通信チャネル（ＴＣＨ＃４）に変更するかが決定される。また、ＰＳ２００は、上り方向の受信通信品質の劣化状態に基づいて、ＣＳ１００と同様な動作を実行する。
【００８５】
このため、受信通信品質が劣化した場合でも、空き通信チャネル（ＴＣＨ＃４）が存在し、無線通信路ＷＬを当該空き通信チャネルに切り替えることによって、無線通信路ＷＬの伝送レートを低下させることなく通信が維持できる場合には、使用中の通信チャネルを空き通信チャネルに変更することができる。
【００８６】
つまり、異なる通信チャネルに切り替えることによって、伝送レートを低下させることなく通信が維持できる場合には、伝送レートが低い低レート変調パラメータに変更することによって無線通信路ＷＬの伝送レートが低下してしまうことを回避できる。このため、ＣＳ１００〜ＰＳ２００間のデータスループットが向上する。
【００８７】
また、本実施形態では、変調パラメータまたは通信チャネルの変更に先立って、空き通信チャネルにおける受信通信品質が取得され、空き通信チャネルの受信通信品質が所定の閾値を超える場合、空き通信チャネルへの変更が選択される。このため、無線通信路ＷＬの伝送レートが低下することを回避しつつ、より確実に無線通信路の通信品質を維持することができる。
【００８８】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００８９】
例えば、上述した本発明の実施形態では、ＴＣＨにおけるＤ波の受信レベル及びＤ／Ｕ比に基づいて、またはＤ波のフェージング速度に基づいて受信通信品質の劣化状態が判定される形態としたが、受信通信品質の劣化状態の判定は、他のパラメータ（例えば、ＲＳＳＩやＥＶＭ）であっても構わない。
【００９０】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００９１】
【図１】本発明の実施形態に係る無線通信システムの全体概略構成図である。
【図２】本発明の実施形態に係る無線基地局の機能ブロック構成図である。
【図３】本発明の実施形態に係る無線通信端末の機能ブロック構成図である。
【図４】本発明の実施形態に係る無線基地局における変調パラメータまたは通信チャネルの変更フロー図である。
【図５】本発明の実施形態に係る上り方向の受信通信品質の劣化に基づく変調パラメータまたは通信チャネルの変更シーケンス図である。
【図６】本発明の実施形態に係る下り方向の受信通信品質の劣化に基づく変調パラメータまたは通信チャネルの変更シーケンス図である。
【図７】本発明の実施形態に係る通信チャネルの構成の一例を示す図である。
【図８】本発明の実施形態に係る無線通信システムにおいて用いられる変調パラメータの一例を示す図である。
【符号の説明】
【００９２】
１０…無線通信システム、１００…無線基地局（ＣＳ）、１０１…無線部、１０１ａ…アンテナ、１０３…無線信号処理部、１０５…無線制御部、１０７…中央制御部、１０９…回線制御部、１１１…電源部、２００…無線通信端末（ＰＳ）、２０１…無線部、２０１ａ…アンテナ、２０３…無線信号処理部、２０５…制御部、２０７…音声信号処理部、２０９…マイク、２１１…スピーカ、２１３…電源部、ＷＬ…無線通信路
【図１】
2007274549.tif 000003
【図２】
2007274549.tif 000004
【図３】
2007274549.tif 000005
【図４】
2007274549.tif 000006
【図５】
2007274549.tif 000007
【図６】
2007274549.tif 000008
【図７】
2007274549.tif 000009
【図８】
2007274549.tif 000010